(57)【要約】【課題】波長多重装置に接続された端局装置が所定の特性を備えた正規の端局装置であるか否かを判定することのできる波長多重装置を提供すること。【解決手段】波長多重装置１０は、ＳＶ信号合波部１２とＳＶ信号監視部１３１〜１３ｎとを備える。ＳＶ信号合波部１２は、端局装置３０１〜３０ｎに対する主信号に対して、主信号の波長とは異なる波長のＳＶ信号を合波して各端局装置へ送信する。ＳＶ信号監視部１３１〜１３ｎは、各端局装置によって返信された信号を監視し、ＳＶ信号を含まない信号を返信した端局装置を誤って接続されたものと判定する。【選択図】図１
2009182625.tif 000002
【特許請求の範囲】
【請求項１】
端局装置に対する主信号に対して、主信号の波長とは異なる波長のＳＶ（Ｓｕｐｅｒｖｉｓｉｏｎ、監視）信号を合波して各端局装置へ送信するように構成されたＳＶ信号合波部と、
各端局装置によって返信された信号を監視し、前記ＳＶ信号を含まない信号を返信した端局装置を誤って接続されたものと判定するように構成されたＳＶ信号監視部と、を備えることを特徴とする波長多重装置。
【請求項２】
前記ＳＶ信号監視部は、誤って接続されたものと判定された端局装置からの主信号を遮断して波長多重しないように構成されたことを特徴とする、請求項１に記載の波長多重装置。
【請求項３】
前記ＳＶ信号合波部は、前記ＳＶ信号の波長を可変とするように構成されたことを特徴とする、請求項１又は２に記載の波長多重装置。
【請求項４】
波長多重装置から信号を受信する際にＳＶ（Ｓｕｐｅｒｖｉｓｉｏｎ、監視）信号を分離し、該波長多重装置へ信号を送信する際には分離したＳＶ信号を合波するように構成されたことを特徴とする端局装置。
【請求項５】
請求項４に記載の端局装置を複数備えるとともに、
請求項１ないし３のいずれか一に記載の波長多重装置を備えることを特徴とする光伝送システム。
【請求項６】
端局装置に対する主信号に対して、主信号の波長とは異なる波長のＳＶ（Ｓｕｐｅｒｖｉｓｉｏｎ、監視）信号を合波して各端局装置へ送信するＳＶ信号合波工程と、
各端局装置によって返信された信号を監視し、前記ＳＶ信号を含まない信号を返信した端局装置を誤って接続されたものと判定するＳＶ信号監視工程と、を含むことを特徴とする波長多重方法。
【請求項７】
誤って接続されたものと判定された端局装置からの主信号を遮断して波長多重しないようにする工程を含むことを特徴とする、請求項６に記載の波長多重方法。
【請求項８】
前記ＳＶ信号合波工程において、前記ＳＶ信号の波長を変更する工程を含むことを特徴とする、請求項６又は７に記載の波長多重方法。
【発明の詳細な説明】
【技術分野】
【０００１】
本発明は波長多重装置及び方法に関し、特に、光伝送システムにおける波長多重装置及び方法に関する。
【背景技術】
【０００２】
波長多重装置は、その納入時においては、波長多重装置の最大波長多重数の数十分の１以下の波長多重数によって運用されることが多い。したがって、その後、波長増設をする際には、端局装置が追加的に設置される。
【０００３】
また、光ネットワークの信頼性を向上させるには、適切な監視システムを設ける必要がある。例えば、特許文献１において、監視用（Ｓｕｐｅｒｖｉｓｉｏｎ、ＳＶ）信号を光伝送路の光信号に多重させ、監視用信号の有無によって障害発生を検知するシステムが開示されている。また、特許文献２において、監視制御信号をループバックさせることによって、信号ネットワークの導通を確認するシステムが開示されている。
【０００４】
【特許文献１】特開２００３−０４６４５７号公報
【特許文献２】特開２００３−２９８５４０号公報
【発明の開示】
【発明が解決しようとする課題】
【０００５】
以下の分析は、本発明者によってなされたものである。従来の一般的な波長多重装置は、入出力レベルが所定の範囲である端局装置であれば、無条件に波長多重装置に接続されていた。したがって、波長多重装置の最大波長多重数内において波長を増設した場合に、予め規定された所定の特性（波長、波長精度、スペクトラム幅、レベル、光ＳＮ比等）を満足しない端局装置が接続された場合であっても、誤接続警報が発生されないばかりか、端局装置が接続されたチャンネルに関して波長多重装置と伝送路とを含めて所定の伝送特性を満足することもできず、さらに、サービス中の他チャンネルにも影響を及ぼす可能性があるという問題があった。
【０００６】
また、上記の特許文献１及び特許文献２に開示されたシステムによって、光伝送路又は信号ネットワークの障害は検出できるものの、多重装置に接続された端局装置が正規のものであるか否かを判別することができない。
【０００７】
そこで、波長多重装置に接続された端局装置が所定の特性を備えた正規の端局装置であるか否かを判定することのできる波長多重装置を提供することが課題となる。
【課題を解決するための手段】
【０００８】
本発明の第１の視点に係る波長多重装置は、
端局装置に対する主信号に対して、主信号の波長とは異なる波長のＳＶ（Ｓｕｐｅｒｖｉｓｉｏｎ、監視）信号を合波して各端局装置へ送信するように構成されたＳＶ信号合波部と、
各端局装置によって返信された信号を監視し、前記ＳＶ信号を含まない信号を返信した端局装置を誤って接続されたものと判定するように構成されたＳＶ信号監視部と、を備えることを特徴とする。
【０００９】
本発明の第２の視点に係る端局装置は、
波長多重装置から信号を受信する際にＳＶ（Ｓｕｐｅｒｖｉｓｉｏｎ、監視）信号を分離し、該波長多重装置へ信号を送信する際には分離したＳＶ信号を合波するように構成されたことを特徴とする。
【００１０】
本発明の第３の視点に係る波長多重方法は、
端局装置に対する主信号に対して、主信号の波長とは異なる波長のＳＶ（Ｓｕｐｅｒｖｉｓｉｏｎ、監視）信号を合波して各端局装置へ送信するＳＶ信号合波工程と、
各端局装置によって返信された信号を監視し、前記ＳＶ信号を含まない信号を返信した端局装置を誤って接続されたものと判定するＳＶ信号監視工程と、を含むことを特徴とする。
【００１１】
第１の展開形態の波長多重装置は、
前記ＳＶ信号監視部が、誤って接続されたものと判定された端局装置からの主信号を遮断して波長多重しないように構成されることが好ましい。
【００１２】
第２の展開形態の波長多重装置は、
前記ＳＶ信号合波部が、前記ＳＶ信号の波長を可変とするように構成されることが好ましい。
【００１３】
第３の展開形態の光伝送システムは、
上記の端局装置を複数備えるとともに、
上記の波長多重装置を備えることが好ましい。
【００１４】
第４の展開形態の波長多重方法は、
誤って接続されたものと判定された端局装置からの主信号を遮断して波長多重しないようにする工程を含むことが好ましい。
【００１５】
第５の展開形態の波長多重方法は、
前記ＳＶ信号合波工程において、前記ＳＶ信号の波長を変更する工程を含むことが好ましい。
【発明の効果】
【００１６】
本発明の波長多重装置によって、端局装置に対してＳＶ信号（主信号とは異なる波長の信号とする。）を出力し、ＳＶ信号が端局装置を経由して帰ってきた場合には、その端局装置は所定の特性（波長、波長精度、スペクトラム幅、レベル、光ＳＮ比等）を備えた正規の端局装置であると判定することができる。
【００１７】
また、本発明の波長多重装置によって、正規の端局装置以外の端局装置から入力された主信号を波長多重することなく、遮断することができる。
【００１８】
さらに、本発明の波長多重装置において、ＳＶ信号を複数の波長の間で可変とすることによって、特定のＳＶ信号の波長に関する情報が漏洩した場合であっても、正規の端局装置以外のものが波長多重装置に接続されることを防ぐことができる。
【発明を実施するための最良の形態】
【００１９】
（実施形態１）
本発明の第１の実施形態に係る波長多重装置について、図面を参照して説明する。図１は本実施形態に係る波長多重装置を含む光伝送システムのブロック図である。
【００２０】
図１を参照すると、波長多重装置１０は、ＳＶ信号合波部１２、ＳＶ信号監視部１３１〜１３ｎ、波長多重部１５、波長分離部１６を備える。ＳＶ信号合波部１２は、端局装置３０１〜３０ｎに対する主信号に対して、主信号の波長とは異なる波長のＳＶ信号を合波して各端局装置へ送信する。ＳＶ信号監視部１３１〜１３ｎは、各端局装置によって返信された信号を監視し、ＳＶ信号を含まない信号を返信した端局装置を誤って接続されたものと判定する。波長多重部１５は、ＳＶ信号監視部１３１〜１３ｎから入力された光信号を波長多重技術によって一つの光信号に多重化する。波長分離部１６は、入力された波長多重信号をｎ個の波長に分離し、波長分離した信号をそれぞれＳＶ信号合波部１２に出力する。
【００２１】
また、ＳＶ信号監視部１３１〜１３ｎは、誤って接続されたものと判定された端局装置からの主信号を遮断して波長多重しないことが好ましい。
【００２２】
さらに、ＳＶ信号合波部１２は、前記ＳＶ信号の波長を可変とすることが好ましい。
【００２３】
端局装置３０１〜３０ｎは、波長多重装置１０から信号を受信する際にＳＶ信号を分離し、波長多重装置１０へ信号を送信する際には分離したＳＶ信号を合波する。
【００２４】
また、光伝送システムにおいて、上記の端局装置３０１〜３０ｎを複数備えるとともに、上記載の波長多重装置１０を備えることが好ましい。
【００２５】
（実施形態２）
本発明の第２の実施形態に係る波長多重装置について、図面を参照して説明する。図２は本実施形態に係る波長多重装置を含む光伝送システムのブロック図である。
【００２６】
本実施形態の波長多重装置を有する波長多重システムは、波長多重装置１０ａとｎ個の端局装置３０ａ１〜３０ａｎとを備える。端局装置３０ａｉ（ｉ＝１、…、ｎ）は、ＳＤＨのインタフェースを持ち、そのインタフェースから入力された光信号にｏｖｅｒｈｅａｄ（オーバーヘッド）ビットを追加し、特定波長の光信号に変換して出力する。波長多重装置１０ａは、ｎ個の端局装置３０ａ１〜３０ａｎとインタフェースし、各端局装置３０ａｉから入力された波長の異なるｎ個の光信号を波長多重して出力する。また、波長多重装置１０ａは、逆の方向に関し、波長多重された信号を波長毎に分離して各端局装置に出力する。かかる光伝送システムにおいて、波長多重装置１０ａは、所定の条件を満足しない端局装置が接続された場合には、インヒビット（Ｉｎｈｉｂｉｔ、接続禁止）し、所定の条件を満足した端局装置からの信号のみを波長多重する。
【００２７】
図３を参照すると、本実施形態においては、主信号の波長λ１〜λｎとは異なる波長λＳＶのＳＶ（Ｓｕｐｅｒｖｉｓｉｏｎ、監視）信号を利用する。波長多重装置１０ａは、図２を参照すると、ＳＶ信号発生部１１ａ、ＳＶ信号合波部１２ａ及びｎ個のＳＶ信号監視部１３ａ１〜１３ａｎを備える。
【００２８】
ＳＶ信号発生部１１ａは、図３に示すＳＶ信号（すなわち、端局装置監視用信号）として波長λＳＶの信号を一つ又は複数個発生し、発生したＳＶ信号を合計ｎ個になるように分波して所定のレベルで出力する。ＳＶ信号合波部１２ａは、ＳＶ信号発生部１１ａから出力されたＳＶ信号を波長分離部１６によって出力された波長λ１〜λｎの各主信号に合波してそれぞれ出力する。
【００２９】
ＳＶ信号監視部１３ａ１〜１３ａｎは、ＳＶ信号分離回路２３ａ、ＳＶ信号監視回路２４ａ及び主信号制御回路２５ａを備える。ＳＶ信号分離回路２３ａは、端局装置３０ａ１〜３０ａｎから入力された信号からＳＶ信号のみを分離してＳＶ信号監視回路２４ａへ出力し、端局装置３０１〜３０ｎから入力された信号はそのまま又はＳＶ信号を除いた信号として主信号制御回路２５ａにそれぞれ出力する。ＳＶ信号監視回路２４ａは、ＳＶ信号分離回路２３ａから分離された信号を常時モニタして、ＳＶ信号の有無に基づいて主信号制御回路２５ａを制御する為の制御信号を出力する。主信号制御回路２５ａは、ＳＶ信号分離回路２３ａを経由して入力された端局装置３０ａ１〜３０ａｎの主信号を、ＳＶ信号監視回路２４ａからの制御信号に従って波長多重部に出力するか否かを制御する。
【００３０】
端局装置３０ａ１〜３０ａｎは、ＳＶ信号分離回路３３ａ及びＳＶ信号合波回路３２ａを備える。ＳＶ信号分離回路３３ａは、波長多重装置１０ａから入力された信号からＳＶ信号のみ分離してＳＶ信号合波回路３２ａに出力し、波長多重装置１０ａから入力された信号又はその信号からＳＶ信号を除いた信号を端局装置部３１ａにそれぞれ出力する。ＳＶ信号合波回路３２ａは、ＳＶ信号分離回路３３ａから出力されたＳＶ信号を端局装置部３１ａによって出力された主信号に合波して出力する。
【００３１】
（実施形態３）
本発明の第３の実施形態に係る波長多重装置について、図面を参照して説明する。図４は、本実施形態に係る波長多重装置１０ｂを含む通信システムのブロック図である。
【００３２】
図４を参照すると、本実施形態に係る波長多重装置１０ｂの各ＳＶ信号監視部１３ｂ１〜１３ｂｎに設けたＳＶ信号監視回路２４ｂは、その出力を波長多重装置１０ｂの監視制御部１４ｂに出力する。監視制御部１４ｂはＳＶ信号監視回路２４ｂから入力された信号をモニタし、その信号状態に応じて主信号制御回路２５ｂを制御する為の信号を出力する。さらに、監視制御部１４ｂは波長λＳＶのＳＶ（監視）信号の出力及び停止を制御するための制御信号をＳＶ信号発生部１１ｂに出力する。また、ＳＶ信号発生部１１ｂは、その制御信号に従って各ＳＶ信号合波回路２２ｂ１〜２２ｂｎへのＳＶ信号の出力を制御する。
【００３３】
（実施形態４）
本発明の第４の実施形態に係る波長多重装置について、図面を参照して説明する。図５は、本実施形態に係る波長多重装置１０ｃを含む通信システムのブロック図である。
【００３４】
本実施形態に係る波長多重装置１０ｃは、上記第３の実施形態の波長多重装置（図４の１０ｂ）に対して、さらに以下の構成が追加される。図５を参照すると、本実施形態に係る波長多重装置１０ｃは、ＳＶ信号監視部１３ｃ１〜１３ｃｎのＳＶ信号分離回路２３ｃと主信号制御回路２５ｃとの間に主信号監視回路２６ｃを備える。主信号監視回路２６ｃは、ＳＶ信号分離回路２３ｃから出力される主信号の有無を監視し、主信号がなくなった時に警報信号を監視制御部１４ｃに出力する。
【００３５】
（実施形態５）
本発明の第５の実施形態に係る波長多重装置について、図面を参照して説明する。図６は、本実施形態に係る波長多重装置１０ｄを含む通信システムのブロック図である。
【００３６】
本実施形態に係る波長多重装置１０ｄは、上記第４の実施形態に係る波長多重装置（図５の１０ｃ）に対して、さらに以下の構成が追加される。本実施形態においては、図７に示すようにＳＶ（すなわち、端局装置監視用）信号の波長をλＳＶ１〜λＳＶｎまで可変とする。端局装置３０ｄ１〜３０ｄｎのＳＶ信号分離回路３３ｄは、ＳＶ信号を分離する手段としてλＳＶ１〜λＳＶｎを分離可能なバンドパスフィルタを使用する。波長多重装置１０ｄのＳＶ信号監視部１３ｄ１〜１３ｄｎに設けたＳＶ信号分離回路２３ｄは、ＳＶ信号を分離する手段として可変波長フィルタを使用する。監視制御部１４ｄは、可変波長フィルタの波長指定を行う。また、ＳＶ信号発生部１１ｄは、ＳＶ信号の発生手段として可変波長光源を使用する。さらに、監視制御部１４ｄは、可変波長光源の波長指定を行う。
【実施例１】
【００３７】
本発明の第１の実施例に係る波長多重装置について図面を参照して説明する。図３は、主信号の波長と端局装置監視用のＳＶ信号の波長を例示する。ＳＶ（端局装置監視用）信号の波長λＳＶとして、主信号用の波長の帯域外の波長を使用することが好ましい。図２は、本実施例に係る波長多重装置を備えた通信システムのブロック図である。
【００３８】
ＳＶ信号発生部１１ａは、ＳＶ（端局装置監視用）信号として、波長λＳＶの信号を一つ又は複数個発生し、発生した信号をｎ個に分波して所定のレベルで出力する。ＳＶ信号合波部１２ａは、ＳＶ（端局装置監視用）信号である波長λＳＶの信号を波長分離部１６から出力された波長λ１〜λｎの主信号にそれぞれ合波して出力する。
【００３９】
ＳＶ信号監視部１３ａｉ（ｉ＝１、…、ｎ）は、ＳＶ信号分離回路２３ａ、ＳＶ信号監視回路２４ａ及び主信号制御回路２５ａを備える。ＳＶ信号分離回路２３ａは、端局装置３０ａ１〜３０ａｎから入力された信号からＳＶ信号のみを分離してＳＶ信号監視回路２４ａに出力し、端局装置３０ａ１〜３０ａｎから入力された信号はそのまま又はＳＶ信号を除いた信号として主信号制御回路２５ａに出力する。ＳＶ信号監視回路２４ａは、ＳＶ信号分離回路２３ａから分離された信号を常時モニタしてＳＶ信号の有無により主信号制御回路２５ａを制御する為の制御信号を出力する。主信号制御回路２５ａは、ＳＶ信号分離回路２３ａを経由して入力された端局装置３０ａｉからの主信号をＳＶ信号監視回路２４ａからの制御信号に従って波長多重部１５に出力するか否かを制御する。
【００４０】
波長多重部１５は、ｎ個のＳＶ信号監視部１３ａ１〜１３ａｎから入力された光信号を波長多重技術により一つの光信号に多重する。波長分離部１６は、入力された波長多重信号を各波長単位にｎ個の波長に分離し、波長分離した信号をそれぞれＳＶ信号合波回路２２ａ１〜２２ａｎに出力する。
【００４１】
端局装置３０ａ１〜３０ａｎは、端局装置部３１ａ、ＳＶ信号分離回路３３ａ、ＳＶ信号合波回路３２ａを備える。端局装置部３１ａは、ＳＤＨのインタフェースを持ち、そのインタフェースから入力された光信号にｏｖｅｒｈｅａｄ（オーバーヘッド）ビットを追加し、特定波長の光信号に変換して出力する。ＳＶ信号分離回路３３ａは、波長多重装置１０ａから入力された信号からＳＶ信号のみ分離してＳＶ信号合波回路３２ａに出力する。ＳＶ信号合波回路３２ａは、ＳＶ信号分離回路３３ａから出力されたＳＶ信号を端局装置部３１ａより出力された主信号に合波して出力する。
【００４２】
図２及び図３を参照して、本実施例の波長多重装置の動作を説明する。
【００４３】
波長多重装置１０ａのＳＶ信号発生部１１ａより出力されたｎ個の波長λｓｖのＳＶ（端局装置監視）信号は、波長分離部１６から出力された各波長の主信号とＳＶ信号合波回路２２ａ１〜２２ａｎによりそれぞれ合波され各端局装置３０ａ１〜３０ａｎに出力される。
【００４４】
端局装置３０ａ１〜３０ａｎに入力された信号は、ＳＶ信号分離回路３３ａにおいて、ＳＶ信号のみ分離されＳＶ信号合波回路３２ａに入力される。一方、端局装置部３１ａへは波長多重装置１０ａから入力された信号がそのまま又はＳＶ信号を除いて出力される。ＳＶ信号合波回路３２ａは、端局装置部３１ａからの主信号とＳＶ信号とを合波して波長多重装置１０ａへ出力する。
【００４５】
波長多重装置１０ａに設けたｎ個のＳＶ信号監視部１３ａ１〜１３ａｎのＳＶ信号分離回路２３ａ、ＳＶ信号監視回路２４ａ及び主信号制御回路２５ａは、各端局装置３０ａ１〜３０ａｎから入力された信号内にＳＶ信号が含まれているか否かを常に監視し、ＳＶ信号が含まれている場合には端局装置３０ａ１〜３０ａｎから入力された信号は波長多重部１５に出力し、ＳＶ信号が含まれていない場合には波長多重部１５に何も出力せず、監視制御部１４ａに対して誤接続警報信号を出力する。監視制御部１４ａは、各ＳＶ信号監視部１３ａ１〜１３ａｎのＳＶ信号監視回路２４ａによって出力される誤接続警報信号を監視し、ＳＶ信号監視回路２４ａから誤接続警報信号が入力された場合は、上位の監視装置に対してその旨を通知する。
【実施例２】
【００４６】
本発明の第２の実施例に係る波長多重装置について図面を参照して説明する。図４は本実施例に係る波長多重装置１０ｂのブロック図を示す。
【００４７】
ＳＶ信号発生部１１ｂは、監視制御部１４ｂからの制御信号に従って、ＳＶ信号の出力を制御する。
【００４８】
ＳＶ信号監視部１３ｂ１〜１３ｂｎは、ＳＶ信号分離回路２３ｂ、ＳＶ信号監視回路２４ｂ及び主信号制御回路２５ｂを備える。ＳＶ信号監視回路２４ｂは、ＳＶ信号分離回路２３ｂから分離された信号を常時モニタしてＳＶ信号の有無を監視制御部１４ｂに出力する。主信号制御回路２５ｂは、監視制御部１４ｂからの制御信号に従って、ＳＶ信号分離回路２３ｂを経由して入力された端局装置３０ｂ１〜３０ｂｎからの主信号を波長多重部１５に出力するか否かを制御する。
【００４９】
監視制御部１４ｂは、ｎ個のＳＶ信号監視部１３ｂ１〜１３ｂｎから入力された信号をモニタし、その信号状態に応じて主信号制御回路２５ｂを制御するための信号を出力するとともに、ＳＶ信号の出力及び停止を制御するための制御信号をＳＶ信号発生部１１ｂに出力する。
【００５０】
本実施例における波長多重装置１０ｂは、ＳＶ信号の有無を常時監視するのではなく、要求があったとき又はあるイベント発生時にのみ監視できるように構成される。そのため、監視制御部１４ｂは、ＳＶ信号監視部１３ｂ１〜１３ｂｎのＳＶ信号監視回路２４ｂから出力されるＳＶ信号の有無に関する情報（ＳＶ信号有無情報）を収集する。また、監視制御部１４ｂは、主信号の波長多重部１５への出力の制御も実施する。さらに、監視制御部１４ｂは、ＳＶ信号発生部１１ｂからのＳＶ信号の出力及び停止の制御も実施する。
【００５１】
監視制御部１４ｂは、例えば、上位の監視装置（非図示）からＳＶ信号の有無のチェックコマンドを受信すると、まず初めにＳＶ信号発生部１１ｂに対してＳＶ信号の出力制御信号を出力する。一定の時間の経過後、監視制御部１４ｂは、各ＳＶ信号監視部１３ｂ１〜１３ｂｎから入力されたＳＶ信号有無情報を監視する。監視制御部１４ｂは、監視した結果に基づいて、ＳＶ信号有りとされたＳＶ信号監視部においてのみ、主信号を波長多重部１５に出力させるべく制御信号を出力する。また、監視制御部１４ｂは、ＳＶ信号無しとされた場合には、誤接続警報を上位の監視装置に通知する。
【実施例３】
【００５２】
本発明の第３の実施例に係る波長多重装置について図面を参照して説明する。図５は本実施例の波長多重装置１０ｃを含む通信システムのブロック図を示す。
【００５３】
ＳＶ信号監視部１３ｃ１〜１３ｃｎは、ＳＶ信号分離回路２３ｃ、主信号監視回路２６ｃ、ＳＶ信号監視回路２４ｃ及び主信号制御回路２５ｃを備える。ＳＶ信号分離回路３３ｃは、端局装置３０ｃ１〜３０ｃｎによって入力された信号からＳＶ信号を分離し、分離したＳＶ信号をＳＶ信号監視回路２４ｃに出力するとともに、端局装置３０ｃ１〜３０ｃｎによって入力された信号からＳＶ信号を除いた信号を主信号監視回路２６ｃに出力する。主信号監視回路２６ｃは、ＳＶ信号分離回路２３ｃによって分離された主信号を常時モニタし、主信号の入力レベルが所定の値以下になった時に警報信号を監視制御部１４ｃに出力する。ＳＶ信号監視回路２４ｃは、ＳＶ信号分離回路２３ｃから分離された信号を常時モニタしてＳＶ信号の有無情報を監視制御部１４ｃに出力する。主信号制御回路２５ｃは、ＳＶ信号分離回路２３ｃを経由して入力された端局装置３０ｃ１〜３０ｃｎからの主信号を、監視制御部１４ｃからの制御信号に従って波長多重部１５に出力するか否か制御する。
【００５４】
監視制御部１４ｃは、ｎ個の主信号監視回路２６ｃから入力された警報信号をモニタし、その信号の状態に応じて、波長λＳＶのＳＶ（監視）信号の出力及び停止を制御するための制御信号をＳＶ信号発生部１１ｃに出力する。また、監視制御部１４ｃは、ｎ個のＳＶ信号監視部１３ｃ１〜１３ｃｎから入力された信号をモニタし、その信号に応じて主信号制御回路２５ｃを制御する信号を出力する。
【００５５】
本実施例における波長多重装置は、上記第２の実施例と同様に、ＳＶ信号の有無を常時監視するのではなく、要求があったとき又はあるイベント発生時にのみ監視することができる。したがって、ＳＶ信号監視部１３ｃ１〜１３ｃｎの主信号監視回路２６ｃから出力される警報信号とＳＶ信号監視回路２４ｃから出力されるＳＶ信号有無情報を監視制御部１４ｃに集める。また、監視制御部１４ｃは、主信号の波長多重部１５への出力制御も実施する。さらに、監視制御部１４ｃは、ＳＶ信号発生部１１ｃからのＳＶ信号の出力及び停止を制御する。
【００５６】
監視制御部１４ｃは、例えば、上位の監視装置（非図示）からＳＶ信号の有無のチェックコマンドを受信すると、まず初めにＳＶ信号発生部１１ｃに対してＳＶ信号の出力制御信号を出力する。一定時間後に、監視制御部１４ｃは、ＳＶ信号監視部１３ｃ１〜１３ｃｎから入力されたＳＶ信号有無情報を確認する。監視制御部１４ｃは、確認した結果に基づいて、ＳＶ信号有りとされたＳＶ信号監視部にのみ、主信号を波長多重部１５へ出力させるべく制御信号を出力する。さらに、ＳＶ信号監視部１３ｃｍ（ｍ＝１、…、ｎ）の主信号監視回路２６ｃから受信している警報信号が復旧した場合には、監視制御部１４ｃは、まず初めにＳＶ信号発生部１１ｃに対して、出力ポートｍ（非図示）からＳＶ信号を出力するための制御信号を出力する。一定時間後に、監視制御部１４ｃは、ＳＶ信号監視部１３ｃｍから入力されたＳＶ信号有無情報を確認する。監視制御部１４ｃは、確認した結果に基づいて、ＳＶ信号が有る場合に限り、ＳＶ信号監視部１３ｃｍにおける主信号を波長多重部１５へ出力するように制御信号を出力する。一方、監視制御部１４ｃは、ＳＶ信号が無い場合には、誤接続警報を上位の監視装置に通知する。
【実施例４】
【００５７】
本発明の第４の実施例に係る波長多重装置について図面を参照して説明する。図７は主信号の波長とＳＶ（端局装置監視用）信号の波長を例示する。ＳＶ（端局装置監視用）信号の波長は主信号の波長の帯域外におけるｎ通りの波長を使用する。図６は本実施例の波長多重装置１０ｄを備える通信システムのブロック図を示す。
【００５８】
ＳＶ信号発生部１１ｄは、監視制御部１４ｄのコマンドによって指定された波長のＳＶ（端局装置監視用）信号として、波長λＳＶｉのＳＶ信号を一つ又は複数個発生し、発生した信号を合計ｎ個になるように分波して所定のレベルで出力する。さらに、ＳＶ信号発生部１１ｄは、監視制御部１４ｄの制御信号に従って、ＳＶ信号の出力を制御する。
【００５９】
ＳＶ信号合波部１２ｄは、ＳＶ（端局装置監視用）信号を波長分離部１６から出力された、波長λ１〜λｎの主信号にそれぞれ合波して出力する。
【００６０】
ＳＶ信号監視部１３ｄ１〜１３ｄｎは、ＳＶ信号分離回路２３ｄ、主信号監視回路２６ｄ、ＳＶ信号監視回路２４ｄ及び主信号制御回路２５ｄを備える。ＳＶ信号分離回路２３ｄは、監視制御部１４ｄからのコマンドに従って、可変波長フィルタのフィルタ波長を波長λＳＶｎに設定し、端局装置３０ｄ１〜３０ｄｎから入力された信号から波長λＳＶｎのＳＶ信号のみ分離してＳＶ信号監視回路２４ｄに出力し、端局装置３０ｄ１〜３０ｄｎから入力された信号はＳＶ信号を除いた信号として主信号監視回路２６ｄに出力する。主信号監視回路２６ｄは、ＳＶ信号分離回路２３ｄから分離された主信号を常時モニタし、主信号の入力レベルがある所定の値以下になった時に警報信号を監視制御部１４ｄに出力する。ＳＶ信号監視回路２４ｄは、ＳＶ信号分離回路２３ｄによって分離された信号を常時モニタしてＳＶ信号の有無についての情報を監視制御部１４ｄに出力する。主信号制御回路２５ｄは、ＳＶ信号分離回路２３ｄ経由で入力された端局装置３０ｄ１〜３０ｄｎからの主信号を監視制御部１４ｄからの制御信号に従って波長多重部１５に出力するか否かを制御する。
【００６１】
監視制御部１４ｄは、ＳＶ信号発生部１１ｄに対してＳＶ（端局装置監視）信号の波長を指定するための制御信号を出力し、ｎ個のＳＶ信号監視部１３ｄ１〜１３ｄｎのＳＶ信号分離回路２３ｄに対して、ファイルタ波長を設定するための制御信号を出力する。また、監視制御部１４ｄは、ｎ個の主信号監視回路２６ｄから出力された警報信号をモニタし、その信号の状態に応じて波長λＳＶｎのＳＶ信号の出力及び停止を制御するための制御信号をＳＶ信号発生部１１ｄに出力する。さらに、監視制御部１４ｄは、ｎ個のＳＶ信号監視回路２４ｄから入力された信号をモニタし、その信号状態に応じて主信号制御回路２５ｄを制御するための信号を出力する。
【００６２】
端局装置３０ｄ１〜３０ｄｎは、端局装置部３１ｄ、ＳＶ信号合波回路３２ｄ及びＳＶ信号分離回路３３ｄを備える。ＳＶ信号分離回路３３ｄは、波長多重装置１０ｄから入力された信号からＳＶ信号のみ分離してＳＶ信号合波回路３２ｄに出力する。ＳＶ信号合波回路３２ｄは、ＳＶ信号分離回路３３ｄから出力されたＳＶ信号を端局装置部３１ｄから出力された主信号に合波して出力する。
【００６３】
本実施例に係る波長多重装置１０ｄは、第３の実施例に係る波長多重装置１０ｃ（図５）に対して、以下の構成が付加される。ＳＶ（端局装置監視用）信号の波長は、波長λＳＶ１〜λＳＶｎにおいて可変とされる。端局装置３０ｄ１〜３０ｄｎのＳＶ信号分離回路３３ｄはＳＶ信号を分離する手段として波長λＳＶ１〜λＳＶｎの光を分離可能なバンドパスフィルタを使用する。また、波長多重装置１０ｄの各ＳＶ信号監視部１３ｄ１〜１３ｄｎに設けたＳＶ信号分離回路２３ｄのＳＶ信号を分離する手段として、可変波長フィルタを使用する。また、その可変波長フィルタの波長指定は監視制御部１４ｄから実施する。さらに、ＳＶ信号発生部１１ｄのＳＶ信号発生手段として可変波長光源を使用する。また、その可変波長光源の波長指定は監視制御部１４ｄから実施する。
【００６４】
一例として、上位の監視装置（非図示）よりＳＶ信号の有無のチェックコマンドを受信すると、監視制御部１４ｄは、先ず初めにＳＶ信号発生部１１ｄとＳＶ信号監視部１３ｄ１〜１３ｄｎにおけるＳＶ信号分離回路２３ｄに対して、波長指定のコマンドを送出する。その後、ＳＶ信号発生部１１ｄに対してＳＶ信号の出力制御信号を出力する。一定の時間の後、ＳＶ信号監視部１３ｄ１〜１３ｄｎより入力されたＳＶ信号有無情報信号をチェックする。その結果、ＳＶ信号有りのＳＶ信号監視部にのみ、主信号を波長多重部１５へ出力させるべく制御信号を出力する。さらに、ＳＶ信号監視部１３ｄｍ（ｍ＝１、…、ｎ）の主信号監視回路２６ｄから受信している警報信号が復旧した場合には、監視制御部１４ｄは、まず初めにＳＶ信号発生部１１ｄに対して出力ポートｍ（非図示）からＳＶ信号を出力するための制御信号を出力する。その後、一定の時間後にＳＶ信号監視部１３ｄｍより入力されたＳＶ信号有無情報信号をチェックする。そのチェック結果に基づいて、ＳＶ信号有りの場合にのみＳＶ信号監視部１３ｄｍから波長多重部１５へ主信号を出力するように制御信号を出力し、ＳＶ信号無しの場合には誤接続警報を上位の監視装置に通知する。
【００６５】
以上の記載は実施例に基づいて行ったが、本発明は、上記実施例に限定されるものではない。
【産業上の利用可能性】
【００６６】
本発明の波長多重装置は、例えば、波長多重分離装置、光端局装置等において利用することができる。
【図面の簡単な説明】
【００６７】
【図１】本発明の第１の実施形態の波長多重装置を含む通信システムのブロック図である。
【図２】本発明の第２の実施形態の波長多重装置を含む通信システムのブロック図である。
【図３】本発明の第２の実施形態の波長多重装置における波長及びその用途を示す図である。
【図４】本発明の第３の実施形態の波長多重装置を含む通信システムのブロック図である。
【図５】本発明の第４の実施形態の波長多重装置を含む通信システムのブロック図である。
【図６】本発明の第５の実施形態の波長多重装置を含む通信システムのブロック図である。
【図７】本発明の第５の実施形態の波長多重装置における波長及びその用途を示す図である。
【符号の説明】
【００６８】
１０、１０ａ、１０ｂ、１０ｃ、１０ｄ  波長多重装置
１１ａ、１１ｂ、１１ｃ、１１ｄ  ＳＶ信号発生部
１２、１２ａ、１２ｂ、１２ｃ、１２ｄ  ＳＶ信号合波部
１３１〜１３ｎ、１３ａ１〜１３ａｎ、１３ｂ１〜１３ｂｎ、１３ｃ１〜１３ｃｎ、１３ｄ１〜１３ｄｎ  ＳＶ信号監視部
１４ａ、１４ｂ、１４ｃ、１４ｄ  監視制御部
１５  波長多重部
１６  波長分離部
２２ａ１〜２２ａｎ、２２ｂ１〜２２ｂｎ、２２ｃ１〜２２ｃｎ、２２ｄ１〜２２ｄｎ、３２ａ、３２ｂ、３２ｃ、３２ｄ  ＳＶ信号合波回路
２３ａ、２３ｂ、２３ｃ、２３ｄ、３３ａ、３３ｂ、３３ｃ、３３ｄ  ＳＶ信号分離回路
２４ａ、２４ｂ、２４ｃ、２４ｄ  ＳＶ信号監視回路
２５ａ、２５ｂ、２５ｃ、２５ｄ  主信号制御回路
２６ａ、２６ｂ、２６ｃ、２６ｄ  主信号監視回路
３０１〜３０ｎ、３０ａ１〜３０ａｎ、３０ｂ１〜３０ｂｎ、３０ｃ１〜３０ｃｎ、３０ｄ１〜３０ｄｎ  端局装置
３１ａ、３１ｂ、３１ｃ、３１ｄ  端局装置部
【図１】
2009182625.tif 000003
【図２】
2009182625.tif 000004
【図３】
2009182625.tif 000005
【図４】
2009182625.tif 000006
【図５】
2009182625.tif 000007
【図６】
2009182625.tif 000008
【図７】
2009182625.tif 000009